(57)【要約】【課題】本発明は、従来にない作用効果を発揮する画期的な押動搬送式除雪具に取り付けられる雪こぼれ防止具及び押動搬送式除雪具に雪こぼれ防止板を取り付けるための取付具を提供することを目的とする。【解決手段】雪掬い部１と枠状の把手部２とで構成され、前記雪掬い部１の基端側に所定間隔を置いて先端が該雪掬い部１に連設される少なくとも２本の取付部材８が設けられ、前記把手部２を押動することで前記雪掬い部１を滑動させ該雪掬い部１に載せた雪を搬送する押動搬送式除雪具Ｄに取り付けられる雪こぼれ防止具であって、前記取付部材８の先端寄り前面側に架け渡しされる雪こぼれ防止板３と、この雪こぼれ防止板３を前記取付部材８に取り付けるための取付具４とから成るものである。【選択図】図１
2015094166.tif 000002
【特許請求の範囲】
【請求項１】
雪掬い部と枠状の把手部とで構成され、前記雪掬い部の基端側に所定間隔を置いて先端が該雪掬い部に連設される少なくとも２本の取付部材が設けられ、前記把手部を押動することで前記雪掬い部を滑動させ該雪掬い部に載せた雪を搬送する押動搬送式除雪具に取り付けられる雪こぼれ防止具であって、前記取付部材の先端寄り前面側に架け渡しされる雪こぼれ防止板と、この雪こぼれ防止板を前記取付部材に取り付けるための取付具とから成り、前記取付具は、前記取付部材に連設される第一連設部と、前記雪こぼれ防止板に連設される第二連設部とを有し、前記第一連設部と前記第二連設部とは屈曲可能な屈曲部を介して連設され前記雪こぼれ防止板は常態から前方へ傾動することを特徴とする押動搬送式除雪具に取り付けられる雪こぼれ防止具。
【請求項２】
雪掬い部と該雪掬い部の基端側左右位置に先端が連設される枠状の把手部とで構成され、前記把手部を押動することで前記雪掬い部を滑動させ該雪掬い部に載せた雪を搬送する押動搬送式除雪具に取り付けられる雪こぼれ防止具であって、前記把手部の先端寄り前面側に架け渡しされる雪こぼれ防止板と、この雪こぼれ防止板を前記把手部に取り付けるための取付具とから成り、前記取付具は、前記把手部に連設される第一連設部と、前記雪こぼれ防止板に連設される第二連設部とを有し、前記第一連設部と前記第二連設部とは屈曲可能な屈曲部を介して連設され前記雪こぼれ防止板は常態から前方へ傾動することを特徴とする押動搬送式除雪具に取り付けられる雪こぼれ防止具。
【請求項３】
請求項１，２いずれか１項に記載の押動搬送式除雪具に取り付けられる雪こぼれ防止具において、前記屈曲部は、屈曲可能な可撓性を有する部材で構成されていることを特徴とする押動搬送式除雪具に取り付けられる雪こぼれ防止具。
【請求項４】
請求項１〜３いずれか１項に記載の押動搬送式除雪具に取り付けられる雪こぼれ防止具において、前記第一連設部は、前記取付部材若しくは前記把手部に折り返し連設し得る帯状部と、前記取付部材若しくは前記把手部に折り返し連設することで重合した前記帯状部の端部同士に貫挿止着する止着部材とで構成されていることを特徴とする押動搬送式除雪具に取り付けられる雪こぼれ防止具。
【請求項５】
請求項４記載の押動搬送式除雪具に取り付けられる雪こぼれ防止具において、前記帯状部の端部夫々には長さ方向に複数の止着孔が設けられていることを特徴とする押動搬送式除雪具に取り付けられる雪こぼれ防止具。
【請求項６】
請求項４，５いずれか１項に記載の押動搬送式除雪具に取り付けられる雪こぼれ防止具において、前記帯状部は摩擦係数の高いゴム製であることを特徴とする押動搬送式除雪具に取り付けられる雪こぼれ防止具。
【請求項７】
雪掬い部と枠状の把手部とで構成され、前記雪掬い部の基端側に所定間隔を置いて先端が該雪掬い部に連設される少なくとも２本の取付部材が設けられ、前記把手部を押動することで前記雪掬い部を滑動させ該雪掬い部に載せた雪を搬送する押動搬送式除雪具の前記取付部材の先端寄り前面側に雪こぼれ防止板を架け渡し状態で取り付けるための取付具であって、前記取付部材に連設される第一連設部と、前記雪こぼれ防止板に連設される第二連設部とを有し、前記第一連設部と前記第二連設部とは屈曲可能な屈曲部を介して連設され前記雪こぼれ防止板は常態から前方へ傾動することを特徴とする押動搬送式除雪具に雪こぼれ防止板を取り付けるための取付具。
【請求項８】
雪掬い部と該雪掬い部の基端側左右位置に先端が連設される枠状の把手部とで構成され、前記把手部を押動することで前記雪掬い部を滑動させ該雪掬い部に載せた雪を搬送する押動搬送式除雪具の前記把手部の先端寄り前面側に雪こぼれ防止板を架け渡し状態で取り付けるための取付具であって、前記把手部の先端部に連設される第一連設部と、前記雪こぼれ防止板に連設される第二連設部とを有し、前記第一連設部と前記第二連設部とは屈曲可能な屈曲部を介して連設され前記雪こぼれ防止板は常態から前方へ傾動することを特徴とする押動搬送式除雪具に雪こぼれ防止板を取り付けるための取付具。
【請求項９】
請求項７，８いずれか１項に記載の押動搬送式除雪具に雪こぼれ防止板を取り付けるための取付具において、前記屈曲部は、屈曲可能な可撓性を有する部材で構成されていることを特徴とする押動搬送式除雪具に雪こぼれ防止板を取り付けるための取付具。
【請求項１０】
請求項７〜９いずれか１項に記載の押動搬送式除雪具に雪こぼれ防止板を取り付けるための取付具において、前記第一連設部は、前記取付部材若しくは前記把手部に折り返し連設し得る帯状部と、前記取付部材若しくは前記把手部に折り返し連設することで重合した前記帯状部の端部同士に貫挿止着する止着部材とで構成されていることを特徴とする押動搬送式除雪具に雪こぼれ防止板を取り付けるための取付具。
【請求項１１】
請求項１０記載の押動搬送式除雪具に雪こぼれ防止板を取り付けるための取付具において、前記帯状部の端部夫々には長さ方向に複数の止着孔が設けられていることを特徴とする押動搬送式除雪具に雪こぼれ防止板を取り付けるための取付具。
【請求項１２】
請求項１０，１１いずれか１項に記載の押動搬送式除雪具に雪こぼれ防止板を取り付けるための取付具において、前記帯状部は摩擦係数の高いゴム製であることを特徴とする押動搬送式除雪具に雪こぼれ防止板を取り付けるための取付具。
【発明の詳細な説明】
【技術分野】
【０００１】
本発明は、押動搬送式除雪具に取り付けられる雪こぼれ防止具及び押動搬送式除雪具に雪こぼれ防止板を取り付けるための取付具に関するものである。
【背景技術】
【０００２】
従来から、雪掬い部と、この雪掬い部の基端側左右位置に先端が連設される枠状の把手部とで構成され、この把手部を押動することで前記雪掬い部を滑動させて該雪掬い部に載せた雪を搬送する押動搬送式除雪具が提案されており、雪掬い部に載せた雪を持ち上げることで除雪する手持ち搬送式除雪具（スコップ）に比して多量の雪を搬送することができる。
【０００３】
ところが、押動搬送式除雪具は、雪掬い部に多量の雪（雪掬い部の側周壁を超える量の雪）を載せて搬送する際など、特に柔らかい雪であった場合には、この雪掬い部に載せた雪が枠状の把手部を通過して後方へこぼれてしまうという問題点がある。
【０００４】
そこで、従来においても、例えば実用新案登録第３１０８８７７号のような押動搬送式除雪具に取り付けられる雪こぼれ防止具（以下、従来例という。）が提案されている。
【０００５】
この従来例は、枠状の把手部にネット体が架け渡された構成であり、この把手部の間隙をネット体で閉塞することにより枠状の把手部を雪が通過してこぼれることを防止している。
【先行技術文献】
【特許文献】
【０００６】
【特許文献１】実用新案登録第３１０８８７７号公報
【発明の概要】
【発明が解決しようとする課題】
【０００７】
ところで、押動搬送式除雪具は、例えば雪掬い部を除雪対象となる雪（例えば屋根や駐車場などに積もった雪）に刺入する場合、雪掬い部の基端縁部を足で踏み込んで行うが、従来例の場合、ネット体がある為、雪掬い部の基端縁部を足で踏み込むことができず、使いにくい、という問題点がある。即ち、仮に雪掬い部の基端縁部に対する足の踏み込みが可能となるよう、従来例のネット体を雪掬い部の基端縁部から足の厚み巾よりも大きく離した上方位置に取り付けた場合、雪こぼれは防止できなくなってしまう。
【０００８】
本発明は、前述した問題を解消するもので、従来にない作用効果を発揮する画期的な押動搬送式除雪具に取り付けられる雪こぼれ防止具及び押動搬送式除雪具に雪こぼれ防止板を取り付けるための取付具を提供する。
【課題を解決するための手段】
【０００９】
添付図面を参照して本発明の要旨を説明する。
【００１０】
雪掬い部１と枠状の把手部２とで構成され、前記雪掬い部１の基端側に所定間隔を置いて先端が該雪掬い部１に連設される少なくとも２本の取付部材８が設けられ、前記把手部２を押動することで前記雪掬い部１を滑動させ該雪掬い部１に載せた雪を搬送する押動搬送式除雪具Ｄに取り付けられる雪こぼれ防止具であって、前記取付部材８の先端寄り前面側に架け渡しされる雪こぼれ防止板３と、この雪こぼれ防止板３を前記取付部材８に取り付けるための取付具４とから成り、前記取付具４は、前記取付部材８に連設される第一連設部４Ａと、前記雪こぼれ防止板３に連設される第二連設部４Ｂとを有し、前記第一連設部４Ａと前記第二連設部４Ｂとは屈曲可能な屈曲部４Ｃを介して連設され前記雪こぼれ防止板３は常態から前方へ傾動することを特徴とする押動搬送式除雪具に取り付けられる雪こぼれ防止具に係るものである。
【００１１】
また、雪掬い部１と該雪掬い部１の基端側左右位置に先端が連設される枠状の把手部２とで構成され、前記把手部２を押動することで前記雪掬い部１を滑動させ該雪掬い部１に載せた雪を搬送する押動搬送式除雪具Ｄに取り付けられる雪こぼれ防止具であって、前記把手部２の先端寄り前面側に架け渡しされる雪こぼれ防止板３と、この雪こぼれ防止板３を前記把手部２に取り付けるための取付具４とから成り、前記取付具４は、前記把手部２に連設される第一連設部４Ａと、前記雪こぼれ防止板３に連設される第二連設部４Ｂとを有し、前記第一連設部４Ａと前記第二連設部４Ｂとは屈曲可能な屈曲部４Ｃを介して連設され前記雪こぼれ防止板３は常態から前方へ傾動することを特徴とする押動搬送式除雪具に取り付けられる雪こぼれ防止具に係るものである。
【００１２】
また、請求項１，２いずれか１項に記載の押動搬送式除雪具に取り付けられる雪こぼれ防止具において、前記屈曲部４Ｃは、屈曲可能な可撓性を有する部材で構成されていることを特徴とする押動搬送式除雪具に取り付けられる雪こぼれ防止具に係るものである。
【００１３】
また、請求項１〜３いずれか１項に記載の押動搬送式除雪具に取り付けられる雪こぼれ防止具において、前記第一連設部４Ａは、前記取付部材８若しくは前記把手部２に折り返し連設し得る帯状部５Ａと、前記取付部材８若しくは前記把手部２に折り返し連設することで重合した前記帯状部５Ａの端部同士に貫挿止着する止着部材６とで構成されていることを特徴とする押動搬送式除雪具に取り付けられる雪こぼれ防止具に係るものである。
【００１４】
また、請求項４記載の押動搬送式除雪具に取り付けられる雪こぼれ防止具において、前記帯状部５Ａの端部夫々には長さ方向に複数の止着孔５ａが設けられていることを特徴とする押動搬送式除雪具に取り付けられる雪こぼれ防止具に係るものである。
【００１５】
また、請求項４，５いずれか１項に記載の押動搬送式除雪具に取り付けられる雪こぼれ防止具において、前記帯状部５Ａは摩擦係数の高いゴム製であることを特徴とする押動搬送式除雪具に取り付けられる雪こぼれ防止具に係るものである。
【００１６】
また、雪掬い部１と枠状の把手部２とで構成され、前記雪掬い部１の基端側に所定間隔を置いて先端が該雪掬い部１に連設される少なくとも２本の取付部材８が設けられ、前記把手部２を押動することで前記雪掬い部１を滑動させ該雪掬い部１に載せた雪を搬送する押動搬送式除雪具Ｄの前記取付部材８の先端寄り前面側に雪こぼれ防止板３を架け渡し状態で取り付けるための取付具であって、前記取付部材８に連設される第一連設部４Ａと、前記雪こぼれ防止板３に連設される第二連設部４Ｂとを有し、前記第一連設部４Ａと前記第二連設部４Ｂとは屈曲可能な屈曲部４Ｃを介して連設され前記雪こぼれ防止板３は常態から前方へ傾動することを特徴とする押動搬送式除雪具に雪こぼれ防止板を取り付けるための取付具に係るものである。
【００１７】
また、雪掬い部１と該雪掬い部１の基端側左右位置に先端が連設される枠状の把手部２とで構成され、前記把手部２を押動することで前記雪掬い部１を滑動させ該雪掬い部１に載せた雪を搬送する押動搬送式除雪具Ｄの前記把手部２の先端寄り前面側に雪こぼれ防止板３を架け渡し状態で取り付けるための取付具であって、前記把手部２の先端部に連設される第一連設部４Ａと、前記雪こぼれ防止板３に連設される第二連設部４Ｂとを有し、前記第一連設部４Ａと前記第二連設部４Ｂとは屈曲可能な屈曲部４Ｃを介して連設され前記雪こぼれ防止板３は常態から前方へ傾動することを特徴とする押動搬送式除雪具に雪こぼれ防止板を取り付けるための取付具に係るものである。
【００１８】
また、請求項７，８いずれか１項に記載の押動搬送式除雪具に雪こぼれ防止板を取り付けるための取付具において、前記屈曲部４Ｃは、屈曲可能な可撓性を有する部材で構成されていることを特徴とする押動搬送式除雪具に雪こぼれ防止板を取り付けるための取付具に係るものである。
【００１９】
また、請求項７〜９いずれか１項に記載の押動搬送式除雪具に雪こぼれ防止板を取り付けるための取付具において、前記第一連設部４Ａは、前記取付部材８若しくは前記把手部２に折り返し連設し得る帯状部５Ａと、前記取付部材８若しくは前記把手部２に折り返し連設することで重合した前記帯状部５Ａの端部同士に貫挿止着する止着部材６とで構成されていることを特徴とする押動搬送式除雪具に雪こぼれ防止板を取り付けるための取付具に係るものである。
【００２０】
また、請求項１０記載の押動搬送式除雪具に雪こぼれ防止板を取り付けるための取付具において、前記帯状部５Ａの端部夫々には長さ方向に複数の止着孔５ａが設けられていることを特徴とする押動搬送式除雪具に雪こぼれ防止板を取り付けるための取付具に係るものである。
【００２１】
また、請求項１０，１１いずれか１項に記載の押動搬送式除雪具に雪こぼれ防止板を取り付けるための取付具において、前記帯状部５Ａは摩擦係数の高いゴム製であることを特徴とする押動搬送式除雪具に雪こぼれ防止板を取り付けるための取付具に係るものである。
【発明の効果】
【００２２】
本発明は上述のように構成したから、取付部材若しくは把手部に取り付けた雪こぼれ防止板により、雪掬い部に載せた雪が取付部材若しくは把手部を通過して後方へこぼれてしまうことを防止することができ、しかも、この雪こぼれ防止板は前方へ傾動するから、雪掬い部の基端縁部を足で踏み込むことができ、押動搬送式除雪具本来の使用に支障を来すことがないなど、従来にない作用効果を発揮する画期的な押動搬送式除雪具に取り付けられる雪こぼれ防止具及び押動搬送式除雪具に雪こぼれ防止板を取り付けるための取付具となる。
【図面の簡単な説明】
【００２３】
【図１】本実施例を示す斜視図である。
【図２】本実施例を示す拡大斜視図である。
【図３】本実施例の要部を説明する断面図である。
【図４】本実施例の使用状態説明図である。
【図５】本実施例の使用状態説明図である。
【発明を実施するための形態】
【００２４】
好適と考える本発明の実施形態を、図面に基づいて本発明の作用を示して簡単に説明する。
【００２５】
押動搬送式除雪具Ｄに雪こぼれ防止板３を取り付ける場合、例えば、取付具４の第一連設部４Ａを押動搬送式除雪具Ｄの取付部材８若しくは把手部２に連結するとともに、取付具４の第二連設部４Ｂを雪こぼれ防止板３に連結し、この雪こぼれ防止板３を取付部材８若しくは把手部２の先端寄り前面側に架け渡し状態とする。
【００２６】
この状態で、雪こぼれ防止板３は、取付部材８若しくは把手部２よりも後方への移動が阻止されているが、取付具４の屈曲部４Ｃが屈曲することで前方への傾動（擺動）は可能となる。
【００２７】
即ち、雪掬い部１の基端縁部を踏み込む足により雪こぼれ防止板３は後方から押されることで前方へ傾動（擺動）するから、この雪こぼれ防止板３が邪魔にならず雪掬い部１の基端縁部に対する足の踏み込みを行うことができ、この足の踏み込みを解除すると、雪こぼれ防止板３は後方へ復帰動（擺動）して常態に戻り（取付部材８若しくは把手部２に架け渡し状態となり）、雪掬い部１に載せた雪が通過するのを阻止する壁として機能する。
【００２８】
この構成から、雪掬い部１の基端縁部と雪こぼれ防止板３との隙間を可及的に無くすことができるため、取り付けた雪こぼれ防止板３により、雪掬い部１に載せた雪が取付部材８若しくは把手部２を通過して後方へこぼれてしまうことを可及的に防止することができ、しかも、この雪こぼれ防止板を取り付けた状態においても雪掬い部の基端縁部を足で踏み込むことができるため押動搬送式除雪具本来の使用に支障を来すことがない。
【実施例】
【００２９】
本発明の具体的な実施例について図面に基づいて説明する。
【００３０】
本実施例は、先端部が開口したバケット状の雪掬い部１と、横材２ｂの左右に縦材２ａを突設したコ字枠状の把手部２とで構成され、雪掬い部１の基端側左右位置に所定間隔を置いて先端が該雪掬い部１に連設される２本の取付部材８が設けられ、把手部２を押動することで雪掬い部１を滑動させ該雪掬い部１に載せた雪Ｓを搬送する押動搬送式除雪具Ｄに取り付けられる雪こぼれ防止具である。
【００３１】
尚、本実施例では、押動搬送式除雪具Ｄとして、図１に図示したようにコ字枠状の把手部２の先端は雪掬い部１の中央側左右位置に連設され、一端が雪掬い部１の基端側左右位置に連設され他端がコ字枠状の把手部２に連設される補強材（架設棒材）としての２本の取付部材８を有するタイプの押動搬送式除雪具Ｄを採用したが、前述した補強材はなくコ字枠状の把手部２の先端が雪掬い部１の基端側左右位置に連設されるタイプのものでも良く、この場合、把手部２の先端部位が後述する取付具４を介して雪こぼれ防止板３を取り付けるための部位となる。
【００３２】
具体的には、雪こぼれ防止具は、左右の取付部材８夫々の先端寄り前面側に架け渡しされる雪こぼれ防止板３と、この雪こぼれ防止板３を取付部材８に取り付けるための一対の取付具４とで構成されている。
【００３３】
雪こぼれ防止板３は、図１，２に図示したように適宜な金属製の部材で形成した方形板状体であり、左右の取付部材８同士の間隔に合わせて巾寸法が設定される。
【００３４】
また、雪こぼれ防止板３の上端縁部の左右位置には図示省略の孔が形成されており、この孔は、後述する取付具４に係る第二連設部４Ｂの止着孔と合致させて止着部材７を介して連設するためのものである。
【００３５】
尚、雪こぼれ防止板３は合成樹脂製や木製でも良く、また、雪こぼれ防止板３の表面に雪が滑り易い滑面処理（コーティング）を施しても良い。
【００３６】
取付具４は、取付部材８に着脱自在に連設される第一連設部４Ａと、雪こぼれ防止板３に着脱自在に連設される第二連設部４Ｂとを有し、第一連設部４Ａと第二連設部４Ｂとは屈曲可能な屈曲部４Ｃを介して連設されている。
【００３７】
具体的には、取付具４は、図１，２に図示したように適宜な可撓性を有して摩擦係数の高い合成樹脂製の部材（ゴム部材）で一体成形した正面視Ｔ字状の基体５を有し、この基体５の横長帯状部５Ａは第一連設部４Ａを構成し、この帯状部５Ａの中央位置に直交連設する縦長帯状部５Ｂは第二連設部４及び屈曲部４Ｃを構成する。
【００３８】
第一連設部４Ａは、図２に図示したように取付部材８に折り返し連設し得る帯状部５Ａと、取付部材８に折り返し連設することで重合した帯状部５Ａの左右端部同士に貫挿止着し得る止着部材６（ボルト６ａ，ナット６ｂ）とで構成されている。
【００３９】
また、横長帯状部５Ａの左右端部夫々には長さ方向に複数（２個）の止着孔５ａが貫通状態に設けられている。
【００４０】
従って、種々提案される取付部材８の径の太さに応じて止着孔５ａを選択して連結し得ることになる。
【００４１】
第二連設部４Ｂは、図２に図示したように縦長帯状部５Ｂの下端部に止着孔（図示省略）が貫通状態に設けられ、この止着孔を雪こぼれ板３に形成される孔と合致させた状態において止着部材７を介して連設するように構成されている。
【００４２】
屈曲部４Ｃは、図２に図示したように縦長帯状部５Ｂの上端部にして横長帯状部５Ａとの連設部位で構成され、適度な可撓性を有するため板厚方向に屈曲自在となる。
【００４３】
尚、取付具４の素材は合成樹脂製に限らず金属製でも良く、また、屈曲部４Ｃのみを合成樹脂製とし第一連設部４Ａ及び第二連設部４Ｂを金属製若しくは硬質合成樹脂製としても良く、屈曲可能な構造としては素材の変形による構造に限らず、ヒンジ構造（枢着構造）としても良い。
【００４４】
本実施例は上述のように構成したから、押動搬送式除雪具Ｄに雪こぼれ防止板３を取り付ける場合、取付具４の第一連設部４Ａを押動搬送式除雪具Ｄの取付部材８に連結するとともに、取付具４の第二連設部４Ｂを雪こぼれ防止板３に連結し、この雪こぼれ防止板３を左右の取付部材８夫々の前面側に架け渡し状態とする。尚、本実施例では、雪こぼれ防止板３に対する第二連設部４の連結は、押動搬送式除雪具Ｄの取付部材８に第一連設部４Ａを連結する前に行っているが、後でも良い。
【００４５】
この状態で、雪こぼれ防止板３は、左右の取付部材８よりも後方への傾動（擺動）が阻止されているが、取付具４の屈曲部４Ｃが屈曲することで前方への傾動（擺動）は可能となる。
【００４６】
即ち、雪掬い部１の基端縁部を踏み込む足により雪こぼれ防止板３は後方から押されることで前方へ傾動（擺動）するから、この雪こぼれ防止板３が邪魔にならず雪掬い部１の基端縁部に対する足の踏み込みを行うことができ、この足の踏み込みを解除すると、雪こぼれ防止板３は後方へ復帰動（擺動）して常態（取付部材８に架け渡し状態となり）、雪掬い部１に載せた雪Ｓが通過するのを阻止する壁として機能する。
【００４７】
よって、本実施例によれば、雪掬い部１の基端縁部と雪こぼれ防止板３との隙間を可及的に無くすことができるため、取り付けた雪こぼれ防止板３により、雪掬い部１に載せた雪Ｓが取付部材８（把手部２）を通過して後方へこぼれてしまうことを可及的に防止することができ、しかも、この雪こぼれ防止板３を取り付けた状態においても雪掬い部１の基端縁部を足で踏み込むことができるため押動搬送式除雪具Ｄ本来の使用に支障を来すことがない。
【００４８】
また、本実施例は、屈曲部４Ｃは、屈曲可能な可撓性を有する部材で構成されているから、簡易構造故にコスト安にして量産性に秀れることになる。
【００４９】
また、本実施例は、第一連設部４Ａは、取付部材８に折り返し連設し得る帯状部５Ａと、取付部材８に折り返し連設することで重合した帯状部５Ａの左右端部同士に貫挿止着し得る止着部材６とで構成されているから、取付部材８に対する連結が簡易且つ迅速に行えることになる。
【００５０】
また、本実施例は、帯状部５Ａの左右端部夫々には長さ方向に複数の止着孔５ａが設けられているから、取付部材８の径に応じて確実に連結することができる。
【００５１】
また、本実施例は、帯状部５Ａは摩擦係数の高いゴム製であるから、取付部材８に滑りにくく且つ形状フィットして良好な取付状態が得られる。
【００５２】
尚、本発明は、本実施例に限られるものではなく、各構成要件の具体的構成は適宜設計し得るものである。
【符号の説明】
【００５３】
Ｄ  押動搬送式除雪具
１  雪掬い部
２  把手部
３  雪こぼれ防止板
４  取付具
４Ａ  第一連設部
４Ｂ  第二連設部
４Ｃ  屈曲部
５ａ  止着孔
５Ａ  帯状部
８  取付部材
【図１】
2015094166.tif 000003
【図２】
2015094166.tif 000004
【図３】
2015094166.tif 000005
【図４】
2015094166.tif 000006
【図５】
2015094166.tif 000007